(57)【要約】【課題】着脱が容易で、格別な操作を要することなく潜水時における人体頸部の水密性を確保する。【解決手段】ドライスーツは、伸縮性素材によって人体形状に形成された本体部と、本体部の首部に延設され、伸縮性素材によって人体の頸部の径よりもやや小径の筒状に形成された頸部封止部３と、から構成される。そして、頸部封止部３は、外面側部３１および内面側部３２からなり、これらの外面側部３１および内面側部３２によって環状密閉空間Ｓが形成されている。また、頸部封止部３の内面側部には、環状密閉空間Ｓに連通する連通穴３２ａが形成されている。【選択図】図２
2005153774.tif 000002
【特許請求の範囲】
【請求項１】
伸縮性素材によって人体形状に形成された本体部と、本体部の首部に延設され、伸縮性素材によって人体の頸部の径よりもやや小径の筒状に形成された頸部封止部と、からなるドライスーツにおいて、前記頸部封止部には、外面側部と内面側部によって環状密閉空間が形成されるとともに、その内面側部に環状密閉空間に連通する複数個の連通穴が形成されていることを特徴とするドライスーツ。
【発明の詳細な説明】
【技術分野】
【０００１】
本発明は、ダイビングに使用されるドライスーツに関するものである。
【背景技術】
【０００２】
従来、ダイビング用スーツとしては、ウエットスーツが使用されていたが、近年、スーツと体との間に海水などが浸入することのない、保温性に優れたドライスーツが普及するようになっている。
【０００３】
このドライスーツは、伸縮性を有するクロロプレンゴムなどによって人体形状に形成された本体部と、本体部の首部に延設され、伸縮性を有するクロロプレンゴムなどの軟質ゴムによって人体頸部の径よりもやや小径の筒状に形成された頸部封止用筒部と、本体部の手首部に延設され、クロロプレンゴムなどの軟質ゴムによって人体手首部の径よりもやや小径の筒状に形成された手首部封止用筒部と、からなり、本体部には、気密ファスナーを介して開閉自在な着脱口が形成されている他、吸気バルブおよび排気バルブが設けられている。
【０００４】
そして、ダイバーは、開口された着脱口からドライスーツを着用した後、気密ファスナーを操作して着脱口を密閉するとともに、頸部封止用筒部を略中間部から先端側半部を内方に折り返して、先端側半部の外面が肌に接するように入れ込むようにしている（例えば、特許文献１参照）。
【０００５】
このようなドライスーツは、ダイビングの度に頸部封止用筒部の先端側半部を内方に折り返して、その外面が肌に密着するように入れ込まなければならず、作業が煩雑となるとともに、折り返し作業が不十分であると、潜水時に水が浸入するおそれがある。
【０００６】
このような問題に対応して、スーツ首部の内周に沿って膨縮部を設けて、スーツ首部と膨縮部との間に独立した環状の気密空間を形成するとともに、スーツ首部の外面側にそれぞれ気密空間に流体を供給する接続口具を設け、潜水に先立って、接続口具を通して気密空間に流体を供給し、人体頸部との密着性を確保する発明が提案されている（例えば、特許文献２参照）。
【特許文献１】実公昭５８−１１１７号公報
【特許文献２】特許第３０７３４９９号公報
【発明の開示】
【発明が解決しようとする課題】
【０００７】
しかしながら、特許文献２に記載された発明においては、スーツ首部と膨縮部との間に形成された気密空間に流体を供給して、人体頸部との密着性を確保するようにしているため、次のような不具合がある。
【０００８】
まず、流体として空気を供給する場合、潜水深度に比例してドライスーツに水圧が作用することにより、気密空間が圧縮され、その空間容積が縮小する結果、スーツ首部を通してドライスーツ内に水が浸入するおそれがある。この場合、接続口具には、給気弁とは別系統の配管が接続されていることから、給気弁操作とは別に潜水深度に対応して接続口具を通して空気を供給する操作が必要となり、操作が煩雑となって誤操作を起こし易い他、接続口具に接続された配管によって作業性が損なわれるものとなる。
【０００９】
一方、流体として水を供給する場合は、水は非圧縮性であるため、潜水時において、空気の場合にように、気密空間の容積が縮小することはなく、水密性を確保することはできるものの、水の重量分重くなり、作業性に影響を与えるおそれがある。
【００１０】
また、空気にしろ、水にしろ、接続口具から供給する場合、あるいは、潜水によって潜水深度に対応した圧力を受けた場合、接続口具から流体が漏出しないように、接続口具は逆止弁構造を付設する必要がある。したがって、潜水が終了して気密空間に供給された流体を排出する場合、接続口具から排出することはできない。このため、接続口具とは別に、気密空間に連通する排気（液）弁が必要になり、排気（液）弁の誤操作や、排気（液）弁の操作部に意図することなく水中の障害物が接触するおそれがあり、この点でも作業性や安全性が低下することになる。また、水を供給した場合、水が残存していると、水が腐る可能性があることから、水を排出して乾燥させる必要があり、保管、保守に手間がかかるものとなる。
【００１１】
本発明は、このような問題点に鑑みてなされたもので、着脱が容易で、格別な操作を要することなく潜水時における人体頸部の水密性を確保することのできるドライスーツを提供するものである。
【課題を解決するための手段】
【００１２】
本発明は、伸縮性素材によって人体形状に形成された本体部と、本体部の首部に延設され、伸縮性素材によって人体の頸部の径よりもやや小径の筒状に形成された頸部封止部と、からなるドライスーツにおいて、前記頸部封止部には、外面側部と内面側部によって環状密閉空間が形成されるとともに、その内面側部に環状密閉空間に連通する複数個の連通穴が形成されていることを特徴とするものである。
【００１３】
本発明によれば、ダイバーがドライスーツを着用する場合、頸部封止部が伸縮性素材から形成されていることから、頸部封止部が伸びて拡張し、人体頭部を容易に通過させることができ、頭部が通過すれば、頸部封止部は縮んで縮小し、人体頸部に緩やかに密着する。この後、潜水に先立って、水中での作業を容易にするため、給気弁を操作してエアータンクの空気をドライスーツの内部に供給し、あるいは、排気弁を操作してドライスーツ内部の過剰な空気を排出し、ドライスーツとダイバーの肌との間に一定の空気層を形成する。次いで、潜水を開始すれば、潜水深度の水圧がドライスーツに作用する。この場合、ダイバーは、通常、ほぼ頭部を上にして行動することから、ドライスーツの内部に供給された空気は、上方に移動し、頸部封止部の内面側部に形成された連通穴を通して環状密閉空間にも流れ込む。すなわち、ダイバーが潜水深度に対応して必要な空気を供給すれば、その空気は頸部封止部の環状密閉空間に流れ、潜水深度の水圧を受けて縮小しようとする環状密閉空間に常時空気を補充することから、人体頸部に密着して水密性を確保することができる。
【００１４】
この結果、窮屈な思いをすることなく容易に着脱することができるとともに、潜水時にダイバーによって通常行われる給気弁操作によって、頸部封止部の環状密閉空間に空気が自動的に補充され、人体頸部との水密性を確保することができる。また、頸部封止部の環状密閉空間には空気のみが供給されることから、保守、保管に際してこれまでと同様に取り扱うことができる。
【発明の効果】
【００１５】
本発明によれば、着脱が容易で、格別な操作を要することなく潜水時における人体頸部の水密性を確保することができる。
【発明を実施するための最良の形態】
【００１６】
以下、本発明の実施の形態を図面を参照して説明する。
【００１７】
図１には、本発明のドライスーツ１の一実施形態が示されている。
【００１８】
このドライスーツ１は、伸縮性素材、例えば、クロロプレンゴムなどによって人体形状に形成された本体部２と、本体部２の首部に延設され、軟質ゴム、例えば、クロロプレンゴムなどによって人体頸部の径よりもやや小径の筒状に形成された頸部封止部３と、本体部２の手首部に延設され、クロロプレンゴムなどの軟質ゴムによって人体手首部の径よりもやや小径の筒状に形成された手首部封止部４と、からなり、本体部２には、図示しない気密ファスナーを介して開閉自在な着脱口が形成されている他、給気弁５および排気弁６が設けられている。
【００１９】
頸部封止部３は、図２および図３に詳細に示すように、略一葉双曲面形状に形成された筒状体を略中間部より折り返し、端縁部同士を接着して形成され、折り返した外面側部３１と内面側部３２および密着された両端縁部によって環状密閉空間Ｓが形成されている。そして、折り返された内面側部３２には、周方向に間隔をおいて複数個の連通穴３２ａが形成されて、環状密閉空間Ｓに連通されている。
【００２０】
ここで、頸部封止部３の内面側部３２に対する連通穴３２ａの形成位置としては、本体部２の内部に供給された空気を連通穴３２ａを通して環状密閉空間Ｓに確実に導くことができるように、人体頸部と密着することのない、高さ方向のやや下方に位置して形成されることが好ましい。
【００２１】
なお、頸部封止部３は、外面側部３１と内面側部３２の接着された端縁部によって形成された裾部分が本体部２における首部の周囲に水密性を確保して一体に取り付けられている。
【００２２】
このように構成されたドライスーツ１は、図示しない気密ファスナーを操作して着脱口を開口し、開口された着脱口を通して人体を本体部２に入れ込むとともに、頸部封止部３に人体頭部を通過させることにより着用することができる。この場合、頸部封止部３は、人体頸部よりもやや小径に形成されているが、伸縮性素材によって形成されていることから、人体頭部を通過する際に伸びて拡張し、人体頭部を容易に通過させることができる。そして、頸部封止部３を人体頭部が通過すれば、頸部封止部３は縮んで縮小し、人体頸部に密着する。この後、気密ファスナーを操作して着脱口を閉鎖する。
【００２３】
ドライスーツ１を着用したならば、潜水に先立ち、水中において、給気弁５を操作し、エアータンク（図示せず）の空気をドライスーツ１の内部に供給し、あるいは、排気弁６を操作し、ドライスーツ１の内部空気を排出し、ドライスーツ１とダイバーの肌との間に一定の空気層を形成する。このため、ダイバーの肌にドライスーツ１が密着して、ダイバーの作業性が損なわれることを防止することができる。この後、潜水を開始する。ダイバーが潜水すれば、潜水深度の水圧がドライスーツ１を介してダイバーに作用する。この際、ダイバーは、通常、頭部を上にして行動することから、ドライスーツ１の内部に供給された空気は、相対的に圧力の低い上方に集まり易く、上方に移動した空気は、頸部封止部３の内面側部３２に形成された連通穴３２ａを通して環状密閉空間Ｓに導かれる。このため、頸部封止部３の環状密閉空間Ｓが潜水深度の水圧に対抗して膨張し、その内面側部３２が人体頸部に密着することから、水密性を確保することができ、頸部封止部３から本体部２の内部に水が浸入することを確実に防止することができる。
【００２４】
このように、ドライスーツ１とダイバーの肌との間の空気が、頸部封止部３の環状密閉空間Ｓに補充されて、潜水深度の水圧に対抗して膨張し、頸部封止部３の内面側部３２が人体頸部に密着することから、常に水密性を確保することができる。
【００２５】
この場合、伸縮性素材からなる頸部封止部３と空気を併用して人体頸部を密封することから、人体頸部に対する装着感が、従来の頸部封止用筒部のみによって水密性を確保する場合に比較してソフトになり、運動性を低下させたり、人体頸部の回転に負担をかけることがない。
【００２６】
潜水が終了すれば、浮上した後、ドライスーツ１を脱げばよい。具体的には、気密ファスナーを操作して着脱口を開口し、頸部封止部３から人体頭部を通過させた後、開口された着脱口を通して人体を本体部２から抜き出せばよい。この際、頸部封止部３が延びて拡張することから、人体頭部を容易に抜き出すことができる。また、頸部封止部３の環状密閉空間Ｓには、エアータンクの空気が供給されるにすぎず、保守、保管に際し、これまでと同様に取り扱うことができる。
【００２７】
なお、前述した実施形態においては、略一葉双曲面形状に形成された筒状体を折り返して頸部封止部３を形成した場合を説明したが、周方向に分割された複数個の接続片の左右端縁部同士を順に接着して筒状体に形成してもよい。このように形成することにより、より人体頸部に対応した形状に形成することができる。
【産業上の利用可能性】
【００２８】
以上説明したように本発明によれば、容易に着脱することができるとともに、スーツ内部への水の浸入を確実に防止することができ、また、取り扱いも容易で、格別な操作を必要としないことから、快適にダイビングを行うことができる。
【図面の簡単な説明】
【００２９】
【図１】本発明のドライスーツの一実施形態を示す全体概略図である。
【図２】図１のドライスーツの頸部封止部を示す斜視図である。
【図３】図２の頸部封止部を一部省略して示す縦断面図である。
【符号の説明】
【００３０】
１  ドライスーツ
２  本体部
３  頸部封止部
３１  外面側部
３２  内面側部
３２ａ  連通穴
４  手首部封止部
５  給気弁
６  排気弁
Ｓ  環状密閉空間
【図１】
2005153774.tif 000003
【図２】
2005153774.tif 000004
【図３】
2005153774.tif 000005